(57)【要約】【課題】入場状況や重要資産や機密情報の状況を映像監視し、不審入場者を検出して、重要資産や機密情報などの重要管理エリア外流出を防止できるシステムを得ること。【解決手段】  重要管理エリアへの入退出者が正規登録者であるかないかを識別する個人識別手段１と、入退出を制限する入退出制限手段２と、入場許可指令を行う入退出管理手段３と、正規作業者であることを識別させる監視解除情報入力装置４１と、当該作業が正常作業であると識別可能な重要資産監視カメラ４２とからなるシステムであって、前記監視解除情報入力装置４１の入力情報が正規作業者の入力であると識別した場合監視解除を行いさらに監視解除状態でも前記重要資産監視カメラ４２の映像が正常な作業でないと識別した場合に不審者侵入警報を発生させる監視解除手段４とからなり、不審者侵入を管理者や監視員へ通知し、警備員などの現場への出動により、未然に重要資産や機密情報の前記重要管理ヘリア外への流失を防止する。【選択図】図１
2016149108.tif 000002
【特許請求の範囲】
【請求項１】
重要管理エリアへの入退出者が正規登録者であるかないかを識別する個人識別手段と、
前記重要管理エリアへの入退出を制限する入退出制限手段と、
前記個人識別手段にて前記重要管理エリアへの入退出者が正規登録者であることが識別された場合前記入退出手段に入場許可指令を行う入退出管理手段と、
さらに前記重要管理エリア内に設置された正規作業者であることを識別させる監視解除情報入力装置と、
前記監視解除情報入力装置で入力された情報が正規作業者であると識別され場合に当該作業が正常作業であると識別可能な重要資産監視カメラと、
前記監視解除情報入力装置の入力情報が正規作業者の入力であると識別した場合監視解除を行いさらに監視解除状態でも前記重要資産監視カメラの映像が正常な作業でないと識別した場合に不審者侵入警報を発生させる監視解除手段と、
からなるシステムであって、
前記重要管理エリア内で何らかの作業を行うために入場する場合に、セキュリティＩＣカードによる個人認証情報や手の甲静脈による生体認証情報を前記個人識別手段で正規入場者として認識した場合には、前記入退出管理手段が入退出許可と判断し、許可された入場者が定常作業を実施する前に、監視警報が発生しない様、定常作業を行うことを知らせる前記重要管理エリア内の監視解除装置から作業時間と作業手順暗号を入力し、あらかじめ設定された正規登録者の作業時間と作業手順暗号との一致で監視解除状態にし、所定の定常作業完了後、前記監視解除装置から監視開始操作を行い、正規入場者による所定の作業完了と判断して、出場側ＩＣカードリーダから入力された前記セキュリティＩＣカードの個人認証情報を前記個人情報識別手段で前記正規入場者の退場と認識した場合には、前記入退出管理手段が退出許可と判断し、前記入退出制限手段へ入場許可指令を与え、前記重要管理エリアからの退場を可能とし、もし前記重要管理エリアへの入場後、定常作業を行うことを知らせる前記重要管理エリアの前記監視情報入力装置から作業時間と作業手順暗号を入力せずに作業を開始した場合には、前記監視解除手段での監視解除は行わず、前記環氏解除手段にて、前記重要資産監視カメラの現在画像とあらかじめ保存されている適正作業の行動状況画像と比較して不審な動きと判断した場合には、前記入退出管理手段にてアラームを発生させる入退出管理システム。
【請求項２】
請求項１の入退出管理システムにおいて、前記重要管理エリアへの入場状況を監視し入場者の顔情報で本人確認を行うためと、さらに、複数の入場者あることを認識できる、入場状況を撮影する入場監視カメラを付加し、撮影した入場者の顔情報を個人識別手段にて正規入場者か否かを判別する入退室管理システム。
【請求項３】
請求項２の入退出管理システムにおいて、重要資産監視カメラで記録された履歴動画情報と現在重要管理エリアで作業中の動画画像を比較し、動画の内容や時間帯が履歴動画情報と異なる不審な情報であると判断した場合には、前記入退出管理手段にてアラームを発生させる入退出管理システム。
【発明の詳細な説明】
【技術分野】
【０００１】  本発明は、ビル・施設などの、入退出管理システムに係わり、あらかじめ個人情報を登録したセキュリティＩＣカードなどをカードリーダにかざすことで、重要管理エリア（重要資産や機密情報などを運用管理するエリア）に入室できるかどうかを判断し、入出場が許可されていれば重要管理エリアのドアーを解錠して入室を許可し、重要管理エリアへ入室出来ない人は入出場を制限することで、重要な資産や機密情報などが重要管理エリア外に流出することを防止できる入退出管理システムに関する。
【背景技術】
【０００２】  ビル・施設などの入退出管理システムで、重要管理エリアに入退出する際には、一般的に暗証番号の入力やあらかじめ個人情報を登録したセキュリティＩＣカードなどをカードリーダにかざすことで、重要管理エリアへの入出場の許可禁止を判断している。【０００３】  しかしながら、暗証番号の入力では、その番号が第三者に漏れた場合、また、セキュリティＩＣカードをかざす場合においては、セキュリティＩＣカードの不正な複製がなされた場合は、不審者の重要管理エリアへの入場制限を行うことが出来なかった。【０００４】  これを防止する方法として、例えば、セキュリティＩＣカードの情報を暗号化して、カードリーダーとセキュリティＩＣカードの内容を相互認証して入場を許可するシステムや、生体認証との組み合わせで重要エリアへの入退出を制限するセキュリティシステムが特許登録されている（例えば、特許文献１参照）。
【先行技術文献】
【特許文献】
【０００５】
【特許文献１】特許第３８３５１３２号公報
【発明の概要】
【発明が解決しようとする課題】
【０００６】  しかしながら、特許文献１に開示された、セキュリティシステムでは、セキュリティＩＣカードの暗号解読での不正複製による個人情報認証や生体認証のなりすまし不正認証などにより完全には不審者の重要管理エリアへの入場制限は行えない。また、正規入場者による重要管理エリアへの入場の際に、正規入場者に同伴して入場する共連れなどの不正入場についても制限することができない。【０００７】  本発明は、上記のような課題を解決するためになされたもので、重要管理エリアへの入場状況を監視するカメラや重要管理エリアの重要資産や機密情報に係わる場所の状況を監視するカメラで記録した映像を画像解析して、入場許可のない人の共連れや、重要資産や機密情報などの通常の運用状況との差異を検出することで不審者の重要管理エリアへの不正侵入と判断して警報することで、重要資産や機密情報などの重要管理エリア外への流出を防止できるシステムを得ることを目的とする。
【課題を解決するための手段】
【０００８】  上記目的を達成するために、本発明の入退出管理システムは、入場者の入場状況を監視撮影する入場監視カメラと、重要管理エリアへの入退出者が正規登録者であることを識別する個人識別手段と、前記重要管理エリアへの入退出を制限する入退出制限手段と、前記個人識別手段にて前記重要管理エリアへの入退出者が正規登録者であることが識別された場合前記入退出制限手段に入場許可指令を行う入退出管理手段と、さらに前記重要管理エリア内に設置された正規作業者であることを識別させる監視解除情報入力装置と、前記監視解除情報入力装置で入力された情報が正規作業者であると識別され場合に当該作業が正常作業であると識別可能な重要資産監視カメラと、前記監視解除情報入力装置の入力情報が正規作業者の入力であると識別した場合監視解除を行いさらに監視解除状態でも前記重要資産監視カメラの映像が正常な作業でないと識別した場合に不審者侵入警報を発生させる監視解除手段とからなるシステムであって、前記重要管理エリア内で何らかの作業を行うために入場する場合に、前記入場監視カメラで前記重要管理エリアに入場する入場者を撮影した顔画像情報とあらかじめ登録された正規入場者の顔画像との一致で正規入場者として認識した場合や、前記重要管理エリアの入場側ＩＣカードリーダにセキュリティＩＣカードをかざして得られた入場者の個人認証情報や、前記重要管理エリアの生体認証装置に手の甲をかざして得られた手の甲静脈による入場者の生体認証情報と、あらかじめ登録された正規登録者情報との一致で正規入場者として認識した場合には、前記入退出管理手段が入退出許可と判断し、前記入退出制限手段に入場許可指令を通知し、前記入退出制限手段は前記重要管理エリアの入退出ドアー電気錠に解錠指令を出力し前記入退出ドアーを開け、前記入退出ドアーの解錠施錠センサーの解錠後の施錠信号の入力で正規入場者の入室完了を認識し、もし前記入場監視カメラで前記重要管理エリアに入場する入場者を撮影した画像に複数の入場者が認識された場合には、前記重要管理エリアへの入場を許可せず、前記入退出制限手段に入場許可指令を通知せず、入場者を入室させず、さらに、入場を許可された正規入場者が定常作業を始める前に、監視警報が発生しない様、定常作業を行うことを知らせる前記重要管理エリア内の監視解除情報入力装置から作業時間と作業手順暗号を入力し、あらかじめ設定された正規登録者の作業時間と作業手順暗号との一致で監視解除状態にし、所定の定常作業完了後、前記監視解除情報入力装置から監視開始操作を行い、前記監視開始操作情報を前記監視解除手段にて正規入場者による所定の作業完了と判断し、前記重要管理エリアの出場側ＩＣカードリータにセキュリティＩＣカードをかざして得られた入場者の個人認証情報と、あらかじめ登録された正規登録者情報との一致で正規出場者として認識した場合には、前記入退出管理手段が退場許可と判断し、前記入退出制限手段へ退場許可指令を与え、前記重要管理エリアからの退場を許可し、前記入退出制限手段は前記重要管理エリアの入退出ドアー電気錠に解錠指令を出力し前記入退出ドアーを開け、前記入退出ドアーの解錠施錠センサの解錠後の施錠信号の入力で正規入場者���退室完了を認識し、もし前記重要管理エリアへの入場後、定常作業を行うことを知らせる前記重要管理エリアの前記監視解除情報入力装置から作業時間と作業手順暗号を入力せずに作業を開始した場合には、前記監視解除手段での監視解除は行わず、前記監視解除手段にて、前記重要資産監視カメラの現在画像とあらかじめ保存されている適正作業の行動状況画像と比較して不審な動きと判断した場合には、前記入退出管理手段にてアラームを発生させることを要旨とする。
【発明の効果】
【０００９】  本発明に係わる前記入退出管理システムによれば、適正入場者との同伴入場を制限でき、例えば仮にセキュリティＩＣカード偽造複製や生体認証誤認許可および変装マスクによる顔認証なりすましなどにより不正に入場出来た場合でも、その不正侵入者に知らせていない、適正入場者による前記重要管理エリア内の前記監視解除情報入力装置での定常作業時間と作業手順暗号の入力による監視解除操作を行わず、前記重要管理エリア内で不審な持ち出しなどの動作を行った場合、監視解除手段にて前記重要資産監視カメラの現在撮影されている画像と、あらかじめ保存されている定常作業の行動状況の画像と比較して不審な動きと判断し、前記入退出管理装置へ『重要管理エリア異常入場』等のアラームを発生させ、警備員に現場への出動を促し、未然に重要資産や機密情報の重要管理ヘリア外への流失を防止することが可能な入退出管理システムを得ることができる。
【図面の簡単な説明】
【００１０】
【図１】本発明による入退出管理システムの第一の実施形態の構成図。
【図２】本発明による入退出管理システムの第一の実施形態の機能フローシート。
【図３】本発明による入退出管理システムの第二の実施形態の構成図。
【図４】本発明による入退出管理システムの第二の実施形態の機能フローシート。
【発明を実施するための形態】
【００１１】  以下、図面を参照して、本発明の第一の実施形態を説明する。
【００１２】  （第一の実施形態）
以下、本発明の第一の実施形態について、図１、図２を参照して説明する。図１は、例えば、ビル・施設などにおいて、例えば壁などで仕切られた重要管理エリアへの入退出者が正規登録者であるかないかを識別する個人識別手段１と、前記重要管理エリアへの入退出を制限する入退出制限手段２と、前記個人識別手段１にて前記重要管理エリアへの入退出者が正規登録者であることが識別された場合前記入退出手段２に入場許可指令を行う入退出管理手段３と、さらに前記重要管理エリア内に設置された正規作業者であることを識別させる監視解除情報入力装置４１と、前記監視解除情報入力装置４１で入力された情報が正規作業者であると識別された場合に当該作業が正常作業であると識別可能な重要資産監視カメラ４２と、前記監視解除情報入力装置４１の入力情報が正規作業者の入力であると識別した場合監視解除を行いさらに監視解除状態でも前記重要資産監視カメラ４２の映像が正常な作業でないと識別した場合に不審者侵入警報を発生させる監視解除手段４とからなる入退出管理システムの第一の実施形態の構成図である。
【００１３】  前記入退出管理システムは、前記重要管理エリアへの入退出の際に、正規に登録された入場者であることを判断するための個人識別情報が格納されているセキュリティＩＣカード１１と、前記重要管理エリアへ入場する際に前記セキュリティＩＣカード１１の情報を読み込む入場側ＩＣカードリーダ１２と、前記重要管理エリアに入場する際に入場者の生体認証個人情報、例えば手の甲静脈情報を読み取る生体認証装置１４と、前記重要管理エリアから退場する際に前記セキュリティＩＣカード１１の情報を読み込む出場側ＩＣカードリーダ１３と、前記重要管理エリアへの入退出ドアー２１と、前記入退出制限手段２からの指令で前記重要管理エリアの前記入退出ドアー２１の解錠施錠を行う電気錠２１ａと、解錠施錠状態を前記入退出制限手段２に知らせる解錠施錠センサ２１ｂとからなる。
【００１４】  次に、各部の詳細内容について説明する。例えば壁などで仕切られた前記重要管理エリア内で作業を行うために前記重要管理エリアに入場する場合には、あらかじめ個人情報が登録された前記セキュリティＩＣカード１１を前記入場側ＩＣカードリーダ１２に近づけ、入場者の個人情報を読み込み（図２では入場者ＩＣカードリーダ読込処理５０１）、前記入場者の個人情報を前記個人識別手段１のＩＣカード個人情報ＤＢ１１ａ内の入場者情報１１ｃに格納し、前記ＩＣカード個人情報ＤＢ１１ａ内にあらかじめ設定された正規登録者情報１１ｂと前記入場者情報１１ｃとの比較を行い（図２では入場者情報と正規登録者情報一致判断５０１ａ）、情報が一致していれば、前記個識別手段１はこの情報の一致判定を第一の正規登録入場者としての判定と認識する。
【００１５】  続いて、例えば壁などで仕切られた前記重要管理エリア内で作業を行うために前記重要管理エリアに入場する場合には、例えば入場者の手の甲などを前記生体認証装置１４に近づけ、前記入場者の手の甲静脈情報などの個人情報を前記生体情報認証装置１４に読み込ませ（図２では入場者生体認証個人情報読込処理５０２）、前記入場者の手の甲静脈情報などの個人情報を前記個人識別手段１の生体認証個人情報ＤＢ１４ａ内の入場者情報１４ｃに格納し、前記生体認証個人情報ＤＢ１４ａ内にあらかじめ設定された正規登録者情報１４ｂと前記入場者情報１４ｃとの比較を行い（図２では入場者情報と正規登録者情報一致判断５０２ａ）、情報が一致していれば、前記個識別手段１はこの情報の一致判定を第二の正規登録入場者としての判定と認識する。
【００１６】  続いて、前記個別識別手段１にてそれぞれ認識した、前記第一の正規登録入場者としての判定と前記第二の正規登録入場者としての判定が両者とも成立していることを認識した場合には、前記重要管理エリアに入場しようとしている入場者を正規登録入場者と判定し、前記正規登録入場者の判定を入退出管理手段３に送り、前記正規登録入場者の判定により前記入退出管理手段３は入退出制限手段２へ入場許可を送り、前記入退出制限手段２は前記重要管理エリアの前記入退出ドアー２１の前記電気錠２１ａに解錠指令を出力して、前記入退出ドアー２１を解錠し、前記解錠センサ２１ｂから解錠状態を入退出制限手段２に入力し、共連れ防止のため、その後すぐに前記入退出制限手段２にて前記入退出ドアー２１の前記電気錠２１ａに施錠指令を出力して、前記入退出ドアー２１を施錠し、前記解錠施錠センサ２１ｂから施錠状態を前記入退出制限手段２に取り込み、前記正規登録入場者の重要管理エリアへの入場を完了する（図２では重要エリア入退出ドアー解錠後施錠処理５０４）。
【００１７】  ここで、前記個人識別手段１にてそれぞれ認識した、前記第一の正規登録入場者としての判定と前記第二の正規登録入場者としての判定のどちらかひとつまたは両者とも不成立であることを認識した場合には、前記重要管理エリアに入場しようとしている入場者を正規登録入場者と判定せず、前記重要管理エリアへの入場は許可せず前記入退出ドアー２１の解錠は行わない。
【００１８】  続いて、前記正規登録入場者は、前記重要管理エリア内で作業を開始する前に、前記重要管理エリア内の前記監視解除情報入力装置４１から、正常作業の作業時間と作業手順暗号を入力し（図２では監視解除情報入力処理５０５）、入力した前記正常作業の作業時間と作業手順暗号を、前記監視解除手段４の監視解除情報ＤＢ４１ａ内の入場者監視解除情報４１ｃに格納し、前記監視解除情報ＤＢ４１ａ内にあらかじめ設定された正規登録者監視解除情報４１ｂと前記入場者監視解除情報４１ｃとの比較を行い（図２では入場者監視解除情報と正規登録者監視解除情報一致５０５ａ）、情報が一致していれば、前記監視解除手段４にて前記重要管理エリア内監視を解除し（図２では監視解除処理５０６）、前記所定の作業を完了するまでは、監視警報を発生させない様にする。
【００１９】  ここで、前記正規登録入場者が、前記重要管理エリア内で作業を開始する前に、前記重要管理エリア内の前記監視解除情報入力装置４１から、正常作業の作業時間と作業手順暗号を入力しなかった場合には、前記重要管理エリアの監視状態は解除されないが、前記重要管理エリア内の前記重要資産監視カメラ４２にて撮影された画像を、前記監視解除手段４の重要資産監視カメラ画像ＤＢ４２ａ内の入場者作業画像４２ｃに書き込み（図２では重要資産監視カメラ画像情報処理５１１）、前記開始解除手段４の前記重要資産監視カメラ画像ＤＢ４２内にあらかじめ設定された適正作業画像４２ｂと前記入場者作業画像４２ｃとの比較を行い（図２では入場者作業画像と適正作業画像一致判断５１１ａ）、情報が一致していれば、前記監視解除手段４にて前記重要管理エリア内監視を解除し（図２では監視解除処理５１２）前記所定の作業を完了するまでは、監視警報を発生させない様にする。
【００２０】  ここで、前記監視解除手段４の前記重要資産監視カメラ画像ＤＢ４２ａ内にあらかじめ設定された適正作業画像４２ｂと前記入場者作業画像４２ｃとの比較を行い（図２では入場者作業画像と適正作業画像一致判断５１１ａ）、不一致で画像に不審な行動ありと判断した場合には、前記監視解除手段４は不正入場者による不審な作業と判断し、前記不正入場者による不審な作業の判断を、前記入退出管理手段３に送り、前記不正入場者による不審な作業の判断を入退出制限手段２へ送り、前記入退出制限手段２は前記重要管理エリアの前記入退出ドアー２１の前記電気錠２１ａへ緊急ロック信号を出力し（図２では重要管理エリア緊急ロック５２１）、前記不正入場者を前記重要管理エリア内に閉じ込め、前記入退出管理手段３にて『重要管理エリア不正入場者侵入』のアラームを発生させ（図２では不正入場者侵入警報５２２）、管理者や監視員へ通知し、警備員などの現場への出動により、未然に重要資産や機密情報の前記重要管理ヘリア外への流失を防止することが可能となる。
【００２１】  続いて、前記適正入場者が所定の作業を完了し、前記重要管理エリアから退場する場合には、前記重要管理エリア内の前記監視解除情報入力装置４１から、正常作業完了したことを入力し、あらかじめ個人情報が登録された前記セキュリティＩＣカード１１を前記出場側ＩＣカードリーダ１３に近づけ、出場者の個人情報を読み込み（図２では出場側ＩＣカードリーダ読込処理５０７）、個人識別手段１にてＩＣカード個人情報ＤＢ１１ａ内の入場者情報１１ｃに書き込み、前記個人識別手段１にて、前記ＩＣカード個人情報ＤＢ１１ａ内にあらかじめ設定された正規登録者情報１１ｂと前記入場者情報１１ｃとの比較を行い（図２では入場者情報と正規登録者情報一致５０７ａ）、情報が一致していれば、前記個人識別手段１は適正退場者として判断して、前記重要管理エリアの監視を開始するとともに、前記重要管理エリアから退場しようとしている退場者を正規登録退場者と判定し、前記正規登録退場者の判定を入退出管理手段３に送り、前記正規登録退場者の判定により前記入退出管理手段３は入退出制限手段２へ退場許可を送り、前記入退出制限手段２は前記重要管理エリアの前記入退出ドアー２１の前記電気錠２１ａに解錠指令を出力して、前記入退出ドアー２１を解錠し、前記解錠センサ２１ｂから解錠状態を入退出制限手段２に入力し、その後すぐに前記入退出制限手段２にて前記入退出ドアー２１の前記電気錠２１ａに施錠指令を出力して、前記入退出ドアー２１を施錠し、前記解錠施錠センサ２１ｂから施錠状態を前記入退出制限手段２に取り込み、前記正規登録退場者の重要管理エリアへの退場を完了する（図２では重要エリア入退出ドアー解錠後施錠処理５０４）。
【００２２】  次に、以下、図面を参照して、本発明の第二の実施形態を説明する。
【００２３】  （第二の実施形態）
【００２４】  以下、本発明の第二の実施形態について、図３、図４を参照して説明する。図３は、例えば、ビル・施設などにおいて、例えば壁などで仕切られた重要管理エリアへの入退出者が正規登録者であるかないかを識別する個人識別手段１と、前記重要管理エリアへの入退出を制限する入退出制限手段２と、前記個人識別手段１にて前記重要管理エリアへの入退出者が正規登録者であることが識別された場合前記入退出手段２に入場許可指令を行う入退出管理手段３と、さらに前記重要管理エリア内に設置された正規作業者であることを識別させる監視解除情報入力装置４１と、前記監視解除情報入力装置４１で入力された情報が正規作業者であると識別された場合に当該作業が正常作業であると識別可能な重要資産監視カメラ４２と、前記監視解除情報入力装置４１の入力情報が正規作業者の入力であると識別した場合監視解除を行いさらに監視解除状態でも前記重要資産監視カメラ４２の映像が正常な作業でないと識別した場合に不審者侵入警報を発生させる監視解除手段４とからなる入退出システムの第二の実施形態の構成図で実施例の各部について、図１に示す第一の実施形態の各部と同じ番号を付し、その説明は省略する
【００２５】  第二の実施形態が第一の実施形態と異なる点は、重要管理エリアの入退出ドアー２１の入場側付近に設置された入場監視カメラ１５にて、前記重要管理エリアに入場者が入場する際の顔画像を撮影し、個人識別手段１にて前記入場監視カメラ画像ＤＢ１５ａ内の入場者顔画像１５ｃに書き込み（図４では入場監視カメラ画像読込処理５０３）、前記個人識別手段１にて、前記入場監視カメラ画像１５ａ内にあらかじめ設定された正規登録者顔画像１５ｂと前記入場者顔画像１５ｃとの比較を行い、（図４では入場者顔画像と正規登録者顔画像一致判断５０３ａ）情報が一致した場合で、かつ、前記入場者顔画像１５ｃに一人しか映っていないことを認識した場合にはその判定を第三の正規登録入場者としての判定と認識する。
【００２６】  ここで、第一の実施形態で説明した、第一の正規登録入場者としての判定と、第二の正規登録入場者としての判定と、第二の実施形態における前記第三の正規登録入場者としての判定が全て成立した場合には、前記重要管理エリアに入場しようとしている入場者を正規登録入場者と判定し、前記正規登録入場者の判定を入退出管理手段３に送り、前記正規登録入場者の判定により前記入退出管理手段３は入退出制限手段２へ入場許可を送り、前記入退出制限手段２は前記重要管理エリアの前記入退出ドアー２１の前記電気錠２１ａに解錠指令を出力して、前記入退出ドアー２１を解錠し、前記解錠センサ２１ｂから解錠状態を入退出制限手段２に入力し、共連れ防止のため、その後すぐに前記入退出制限手段２にて前記入退出ドアー２１の前記電気錠２１ａに施錠指令を出力して、前記入退出ドアー２１を施錠し、前記解錠施錠センサ２１ｂから施錠状態を前記入退出制限手段２に取り込み、前記正規登録入場者の重要管理エリアへの入場を完了する（図２では重要エリア入退出ドアー解錠後施錠処理５０４）。
【００２７】  ここで、個人識別手段１にて、それぞれ認識した、前記第一の正規登録入場者としての判定と、前記第二の正規登録入場者としての判定と、前記第三の正規登録入場者としての判定の内、ひとつまたは全部が不成立であることを認識した場合には、前記重要管理エリアに入場しようとしている入場者を正規登録入場者と判定せず、前記重要管理エリアへの入場を許可せず前記入退出ドアー２１を解錠しない。
【００２８】  前記重要管理エリア４に入場した後の内容は、第一の実施形態と同じであるため、その説明は省略する。
【００２９】  次に、以下、図面を参照して、本発明の第三の実施形態を説明する。
【００３０】  （第三の実施形態）
【００３１】  以下、本発明の第三の実施形態について、図４、図５を参照して説明する。図５は、例えば、ビル・施設などにおいて、例えば壁などで仕切られた重要管理エリアへの入退出者が正規登録者であるかないかを識別する個人識別手段１と、前記重要管理エリアへの入退出を制限する前記一体型ＩＣカードリーダ（入場側）１６と、前記重要管理エリアへの入退出を制限する前記一体型ＩＣカードリーダ（入場側）１６に内蔵された前記入退出制限手段２と、前記個人識別手段１にて前記重要管理エリアへの入退出者が正規登録者であることが識別された場合前記入退出手段２に入場許可指令を行う前記一体型ＩＣカードリーダ（入場側）１６に内蔵された入退出管理手段３と、さらに前記重要管理エリア内に設置された正規作業者であることを識別させる監視解除情報入力装置４１と、前記監視解除情報入力装置４１で入力された情報が正規作業者であると識別された場合に当該作業が正常作業であると識別可能な重要資産監視カメラ４２と、前記監視解除情報入力装置４１の入力情報が正規作業者の入力であると識別した場合監視解除を行いさらに監視解除状態でも前記重要資産監視カメラ４２の映像が正常な作業でないと識別した場合に不審者侵入警報を発生させる監視解除手段４とからなる入退出システムの第三の実施形態の構成図で、実施例の各部について、図１に示す第一の実施形態の各部と同じ番号を付し、その説明は省略する
【００３２】  第三の実施形態が第二の実施形態と異なる点は、前記重要管理エリア内の前記一体型ＩＣカードリーダ（入場側）１６に、前記入退出制限手段２と、前記入退出管理手段３が内蔵されていることで、入退出管理システムとしての機能は、第二の実施形態と全く同様である。
【００３３】  以下に、図４、図５を参照してその詳細を説明する。
第三の実施形態の入退出管理システムは、第一の実施形態と第二の実施形態の説明で、入場側ＩＣカードリーダ１２が一体型ＩＣカードリーダ（入場側）１６に置き換わることになり、その他の説明は、第一の実施例と第二の実施例を合わせた説明と同様である。
【符号の説明】
【００３４】１  個人識別手段
１１  セキュリティＩＣカード
１１ａ  ＩＣカード個人情報ＤＢ
１１ｂ  正規登録者情報
１１ｃ  入場者情報
１２  入場側ＩＣカードリーダ
１３  出場側ＩＣカードリーダ
１４  生体認証装置
１４ａ  生体認証個人情報ＤＢ
１４ｂ  正規登録者情報
１４ｃ  入場者情報
１５  入場監視カメラ
１５ａ  入場監視カメラ画像情報ＤＢ
１５ｂ  正規登録者顔情報
１５ｃ  入場者顔情報
１６  一体型ＩＣカードリーダ
２  入退出制限手段
２１  入退出ドアー
２１ａ  電気錠
２１ｂ  解錠施錠センサ
４  監視解除手段
４１  監視解除情報入力装置
４１ａ  監視解除情報ＤＢ
４１ｂ  正規登録者監視解除情報
４１ｃ  入場者監視解除情報
４２  重要資産監視カメラ
４２ａ  重要資産監視カメラ画像ＤＢ
４２ｂ  適正作業画像
４２ｃ  入場者作業画像
５０１  入場側ＩＣカードリーダ個人情報読込処理
５０１ａ  入場者情報と正規登録者情報一致判断
５０２  入場生体認証個人情報読込処理
５０２ａ  入場者情報と正規登録者情報一致判断
５０３  入場監視カメラ画像情報処理
５０３ａ  入場者顔画面と正規登録者顔画面一致かつ共連れ無判断
５０４  入退出ドアー解錠後施錠
５０５  監視解除情報入力処理
５０５ａ  入場者監視解除情報と正規登録者監視解除情報一致判断
５０６  監視解除
５０７  出場側ＩＣカードリーダ個人情報読込処理
５０７ａ  入場者情報と正規登録者情報一致判断
５０８  入退出ドアー解錠後施錠及び監視開始
５１１  重要資産監視カメラ画像情報処理
５１１ａ  入場者作業画面と適正作業画面一致判断
５１２  監視解除
５２１  重要管理エリア緊急ロック
５２１ａ  重要管理エリア緊急ロック中判断
５２２  不正入場者侵入警報発報
【図１】
2016149108.tif 000003
【図２】
2016149108.tif 000004
【図３】
2016149108.tif 000005
【図４】
2016149108.tif 000006
【図５】
2016149108.tif 000007
【手続補正書】
【提出日】平成27年4月23日(2015.4.23)
【手続補正１】
【補正対象書類名】明細書
【補正対象項目名】００１０
【補正方法】変更
【補正の内容】
【００１０】
【図１】本発明による入退出管理システムの第一の実施形態の構成図。
【図２】本発明による入退出管理システムの第一の実施形態の機能フローシート。
【図３】本発明による入退出管理システムの第二の実施形態の構成図。
【図４】本発明による入退出管理システムの第二の実施形態の機能フローシート。
【図５】本発明による入退出管理システムの第三の実施形態の構成図。